(57)【要約】【課題】構造の簡素化や省スペース化が図れる操作装置を提供する。【解決手段】操作装置１００，２００，３００は、操作ノブ２０を有する操作パネル１２，１２Ｂと、前記操作ノブの操作範囲外に配置され、駆動操作可能なベルト部材３０と、を備えることを特徴とすることで、操作者によるベルト部材３０の駆動操作により、被制御部材の操作を行うことができるので、回動するスペースが必要となる伝達機構を操作装置の内部に設ける必要がなくなり、構造の簡素化及び省スペース化を図ることができる。【選択図】図２
2015101167.tif 000002
【特許請求の範囲】
【請求項１】
操作ノブを有する操作パネルと、
前記操作ノブの操作範囲外に配置され、駆動操作可能なベルト部材と、
を備える操作装置。
【請求項２】
請求項１に記載の操作装置において、
前記ベルト部材は、無端形状に構成されており、回転駆動可能であること、
を特徴とする操作装置。
【請求項３】
請求項２に記載の操作装置において、
前記ベルト部材は、前記操作ノブの外周を囲むように配置されていること、
を特徴とする操作装置。
【請求項４】
請求項１から請求項３までのいずれか１項に記載の操作装置において、
前記ベルト部材は、使用状態において前記操作ノブよりも操作者側となる位置に配置されていること、
を特徴とする操作装置。
【請求項５】
請求項１から請求項４までのいずれか１項に記載の操作装置において、
前記ベルト部材は、少なくとも一部が光透過性を有する部材により構成されていること、
を特徴とする操作装置。
【発明の詳細な説明】
【技術分野】
【０００１】
本発明は、車両のエアコンやオーディオ等の各種機器の操作に用いられる操作装置に関するものである。
【背景技術】
【０００２】
従来、車両のエアコン装置の操作を行うために、例えば、ダイヤル回転タイプや、レバースライドタイプや、プッシュスイッチタイプなどが用いられている。
【０００３】
例えば、ダイヤルを回動操作すると、シャフト及びコンタクトホルダが一体に回動され、コンタクトホルダの回動に伴いスイッチが切り替えられる操作装置が特許文献１に開示されている。
【先行技術文献】
【特許文献】
【０００４】
【特許文献１】特開２００３−５４２４５号公報
【発明の概要】
【発明が解決しようとする課題】
【０００５】
しかし、従来の操作装置では、ダイヤルやレバーの操作力を伝達する伝達機構が支点を中心に回動することでスイッチを切り替えるため、支点の作用側および力点側の両側において、この伝達機構が回動するスペースが必要であった。
また、レバーをスライドさせるタイプの操作装置では、レバーの腕長さを確保する必要があり、さらに、レバーの移動領域が必要なため、省スペース化が困難であるという問題があった。
このため、ダイヤルやレバー等の操作ノブを増やすと、操作装置を大きくする必要があり、操作装置を設置するスペースが限られていた場合、操作系統を増やすことができなかった。
【０００６】
また、操作装置には、操作者が夜間でも視認できるように、照明装置が設けられている。しかしながら、従来の操作装置では、その内部において、伝達機構が動作するスペースを確保するため、照明装置を設けることができる位置が限られてしまうという問題があった。
【０００７】
本発明は、構造の簡素化や省スペース化が図れる操作装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
【０００９】
請求項１の発明は、操作ノブ（２０）を有する操作パネル（１２，１２Ｂ）と、前記操作ノブの操作範囲外に配置され、駆動操作可能なベルト部材（３０）と、を備える操作装置（１００，２００，３００）である。
【００１０】
請求項２の発明は、請求項１に記載の操作装置において、前記ベルト部材（３０）は、無端形状に構成されており、回転駆動可能であること、を特徴とする操作装置（１００，２００，３００）である。
【００１１】
請求項３の発明は、請求項２に記載の操作装置において、前記ベルト部材（３０）は、前記操作ノブ（２０）の外周を囲むように配置されていること、を特徴とする操作装置（１００，２００）である。
【００１２】
請求項４の発明は、請求項１から請求項３までのいずれか１項に記載の操作装置において、前記ベルト部材（３０）は、使用状態において前記操作ノブ（２０）よりも操作者側となる位置に配置されていること、を特徴とする操作装置（１００，２００）である。
【００１３】
請求項５の発明は、請求項１から請求項４までのいずれか１項に記載の操作装置において、前記ベルト部材（３０）は、少なくとも一部が光透過性を有する部材により構成されていること、を特徴とする操作装置（１００，２００，３００）である。
【発明の効果】
【００１４】
本発明によれば、以下の効果を奏することができる。
【００１５】
（１）請求項１の発明によれば、ベルト部材は、操作ノブの操作範囲外に配置され、駆動操作可能とした。そして、例えば、ベルト部材の駆動操作に応じて被制御部材を制御する。これにより、操作者によるベルト部材の駆動操作により、被制御部材の操作を行うことができるので、回動するスペースが必要となる伝達機構を操作装置の内部に設ける必要がなくなる。よって、構造の簡素化及び省スペース化を図ることができる。
したがって、操作装置において操作ノブの操作範囲外のスペースが限られていても、操作ノブとは別の操作系統としてベルト部材を増やすことができる。
【００１６】
（２）請求項２の発明によれば、ベルト部材は、無端形状に構成されており、回転駆動可能である。
ここで、例えば、端部を有する所定長さのベルト部材の場合、操作者によりベルト部材が駆動操作される範囲は、ベルト部材の所定長さに制限される。
しかしながら、ベルト部材を無端形状に構成し回転駆動可能とすることで、操作者によるベルト部材の駆動操作する範囲の制限が無くなり、例えば、駆動操作された距離に応じて、異なる機能を割り振ることもできる。
よって、構造の簡素化及び省スペース化を図るともとに、操作性を向上することができる。
【００１７】
（３）請求項３の発明によれば、ベルト部材は、操作ノブの外周を囲むように配置されている。これにより、無端形状のベルト部材の内側に、操作ノブを配置できるので、操作装置の内部のスペースを有効に活用できる。
よって、構造の簡素化及び省スペース化を図ることができる。
【００１８】
（４）請求項４の発明によれば、ベルト部材は、使用状態において操作ノブよりも操作者側となる位置に配置されている。これにより、操作ノブが配置された操作装置の内部における部品数を減らすことができるので、操作装置の内部のスペースを有効利用することが可能となる。例えば、この空いたスペースに照明装置を設けることで、夜間における操作装置の操作性を向上できる。よって、構造の簡素化及び省スペース化を図ることができる。
【００１９】
（５）請求項５の発明によれば、ベルト部材は、少なくとも一部が光透過性を有する部材により構成されている。これにより、例えば、操作装置の内部に照明装置を配置することで、この照明装置の光がベルト部材を透過し、夜間においてもベルト部材の位置を明確に示すことができる。
よって、構造の簡素化及び省スペース化を図ることができるとともに、操作性を向上できる。
【図面の簡単な説明】
【００２０】
【図１】本発明の第１実施形態に係る操作装置１００を示す概略斜視図である。
【図２】図１に示す前記第１実施形態に係る操作装置１００のＡＡ’断面図である。
【図３】前記第１実施形態に係る操作装置１００の図２に示すＢ部分の部分拡大図である。
【図４】前記第１実施形態に係る操作装置１００の図２に示すＢ部分の部分拡大図である。
【図５】本発明の第２実施形態に係る操作装置２００を示す概略斜視図である。
【図６】本発明の第３実施形態に係る操作装置３００を示す概略斜視図である。
【図７】図６に示す前記第３実施形態に係る操作装置３００のＣＣ’断面図である。
【図８】変形形態の要部を示す斜視図である。
【発明を実施するための形態】
【００２１】
以下、本発明を実施するための最良の形態について図面等を参照して説明する。
【００２２】
（第１実施形態）
図１は、本発明の第１実施形態に係る操作装置１００を示す概略斜視図である。
図２は、図１に示す前記第１実施形態に係る操作装置１００のＡＡ’断面図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２３】
図２に示すように、本実施形態の操作装置１００は、被制御部である車両の空調機器の操作に用いられるものであり、本体１０と、本体１０の内部に配置された、操作ノブ２０、ベルト部材３０、検知部４０、照明装置５０及び制御部６０とを備えている。
【００２４】
図１に示すように、本体１０は、箱部１１と、操作パネル１２と、ベルト支持部１３とを備えている。
箱部１１は、その内部に空間を有する箱状態で形成され、図２に示す操作ノブ２０、ベルト部材３０、検知部４０、照明装置５０及び制御部６０を収容する。
【００２５】
操作パネル１２は、箱部１１の操作者に面する前面側（図１中前面側）に設けられ、操作ノブ２０が配置されている。操作パネル１２には、操作ノブ２０の周囲や、後述するベルト支持部１３の操作孔１３１から露出するベルト部材３０に上方において、例えば、エアコンのオンオフ、送風の強さ、外気導入又は内気循環、車内温度等を示す情報が表示される。
【００２６】
図２に示すように、ベルト支持部１３は、使用状態において、操作ノブ２０が配置された操作パネル１２よりも操作者側（図２中前面側）となる位置に、操作ノブ２０が配置された操作パネル１２の外周を囲むように箱部１１の前面側の側縁内側に設けられ、ベルト部材３０が巻き回されている。即ち、ベルト支持部１３は、操作ノブ２０の操作範囲外に配置されている。
ベルト支持部１３には、巻き回されたベルト部材３０の一部を、操作装置１００の外部に露出させるように、操作パネル１２の下側縁に沿って操作孔１３１が形成されている。
【００２７】
操作ノブ２０は、操作パネル１２の表面から突出するダイヤル２１と、ダイヤル２１の操作力を被制御部に伝達する伝達機構２２と、を備える。
操作者は、ダイヤル２１を回転操作することで、この操作力が伝達機構２２により被制御部である空調機器に伝達され、例えば、空調機器のオンオフ、送風の強さ、外気導入又は内気循環、車内温度等を変えることができる。
【００２８】
ベルト部材３０は、無端形状に構成されている。また、ベルト部材３０は、操作孔１３１に一部が露出した状態で、ベルト支持部１３の周方向に回転駆動可能に巻き回されている。
上記のとおり、ベルト部材３０が巻き回されたベルト支持部１３は、操作ノブ２０の操作範囲外において、操作ノブ２０が配置された操作パネル１２の外周を囲むように、使用状態において操作ノブ２０が配置された操作パネル１２よりも操作者側となる位置に設けられている。即ち、ベルト部材３０は、操作ノブ２０の操作範囲外であって、操作ノブ２０の外周を囲むように、使用状態において操作ノブ２０よりも操作者側となる位置に配置されている。
また、ベルト部材３０は、光透過性を有するゴム素材で形成されている。
【００２９】
また、ベルト部材３０には、その周方向に直交する方向（図２中上下方向）の側縁近傍において、検知部４０により移動を検知されるための被検出部３１が当該ベルト部材３０の移動方向に沿って複数並べて所定間隔で配置されている。
被検出部３１は、ベルト部材３０に設けられた内側に突出する凸部である。
【００３０】
図３及び図４は、前記第１実施形態に係る操作装置１００の図２に示すＢ部分の部分拡大図である。
Ｂ部分は、図２に示すように、ベルト支持部１３に操作孔１３１が形成された部分である。ベルト部材３０をベルト支持部１３に巻き回したときに、このＢ部分において、ベルト部材３０の操作孔１３１から露出する操作面の裏面と、箱部１１の前面側の側縁内側の面と、の間に隙間が形成されている。
この隙間には、図３に示す別部材３２又は図４に示すローラ１１１が配置されている。
【００３１】
図３に示すように、別部材３２は、隙間Ｓの寸法と略同じ寸法の厚さで形成され、ベルト部材３０の操作孔１３１（図２参照）から露出する操作面の裏面に貼付され、箱部１１側の面の摺動性がよく、ベルト部材３０の変形に追随できる柔軟性を有する素材で形成されている。
図４に示すように、ローラ１１１は、隙間Ｓの寸法と略同じ寸法の外径を有する円柱状体で形成され、箱部１１の前面側の側縁内側の面に複数配列され、箱部１１に回転自在に固定されている。
別部材３２又はローラ１１１を設けることで、操作孔１３１において、操作者がベルト部材３０を回転操作した場合に、ベルト部材３０が撓むのを防止できる。
【００３２】
図２に戻って、検知部４０は、箱部１１に固定された後述する制御部６０に設けられ、ベルト部材３０の移動を検知する。
検知部４０は、操作パネル１２の背面近傍に配置され、ベルト部材３０の被検出部３１である凸部によって揺動する作動部によってオンオフするディテクタースイッチである。
【００３３】
照明装置５０は、後述する制御部６０に設けられ、ベルト支持部１３の操作孔１３１近傍に配置され、制御部６０の制御により発光する。
【００３４】
制御部６０は、箱部１１に固定された基板を含み、この基板に検知部４０及び照明装置５０が接続されている。また、図示は省略するが、制御部６０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、被制御部と通信するデバイス等を備えている。
制御部６０は、被検出部３１が検知部４０によって所定回数検知されたことに応じて、例えば、被制御部としての空調機器を制御する。また、ディテクタースイッチなどの２接点回路スイッチを用いることにより、操作方向検知が可能となり、操作方向に応じて、被制御部を制御する。
【００３５】
制御部６０は、例えば、検知部４０からオンオフを示すオンオフ信号を受信し、検知部４０が検知した操作方向に応じて制御内容を決定し、受信したオンオフ信号の回数をカウントし、カウントしたオンオフ信号の回数に応じて、空調機器の、例えば、送風の強さの調整、外気導入又は内気循環の切り替え、車内温度の調整等を制御する。すなわち、検知部４０が検出した切り替え方向に応じて、送風量の強弱、温度の高低又は、外気導入又は内気循環の切り替えを決定する。なお、外気導入又は内気循環の切り替えについては、一方向の操作によって検知部４０が一回切り替えられたあとは、同じ方向に切り替えられても、その入力はキャンセルするようにすればよい。
【００３６】
次に、第１実施形態に係る操作装置１００の動作について説明する。
操作者は、空調機器を操作装置１００により操作する場合、操作ノブ２０のダイヤル２１を回転操作する。これにより、この回転操作の操作力が伝達機構２２により被制御部である空調機器に伝達され、例えば、空調機器のオンオフ、送風の強さ、外気導入又は内気循環、車内温度等を変えることができる。
【００３７】
また、操作者は、空調機器を操作装置１００により操作する場合、操作ノブ２０の操作範囲外であって、操作ノブ２０の外周を囲むように、操作ノブ２０よりも操作者側となる位置に配置されたベルト支持部１３の操作孔１３１において、ベルト部材３０をスライド操作する。
これにより、ベルト部材３０は、ベルト支持部１３の周方向に回転移動する。すると、ベルト部材３０の被検出部３１は、操作者のスライド操作によるベルト部材３０の移動距離間において配置されていた凸部の数だけ、検知部４０をオンオフさせる。また、制御部６０は、検知部４０からオンオフ信号を受信し、受信したオンオフ信号の回数をカウントし、オンオフ信号の回数に基づき被制御部を制御する。例えば、制御部６０は、オンオフ信号の回数が所定値以上の場合に、空調機器における外気導入から内気循環に切り替える制御を行う。
【００３８】
（第２実施形態）
図５は、本発明の第２実施形態に係る操作装置２００を示す概略斜視図である。
第２実施形態の操作装置２００は、本体１０Ａが第１実施形態のベルト支持部１３の代わりにプーリー部材１３Ａを備える他は、第１実施形態の操作装置１００と同様である。よって、前述した第１実施形態と同様の機能を果たす部分には、同一の符号を付して、重複する説明を適宜省略する。
【００３９】
プーリー部材１３Ａは、本体１０Ａの操作パネル１２の四隅にそれぞれ配置され、操作ノブ２０が配置された操作パネル１２から、使用状態において操作者側（図５中前面側）となる方向に立設し、ベルト部材３０が巻き回され、このベルト部材３０の駆動をガイドする。即ち、４つのプーリー部材１３Ａは、操作ノブ２０の操作範囲外に配置されている。
【００４０】
第２実施形態において、ベルト部材３０は、４つのプーリー部材１３Ａの外周に回転駆動可能に巻き回されている。
上記のとおり、第２実施形態において、ベルト部材３０が巻き回された４つのプーリー部材１３Ａは、操作ノブ２０の操作範囲外において、操作ノブ２０が配置された操作パネル１２の４隅において、操作ノブ２０が配置された操作パネル１２から、使用状態において操作者側となる方向に立設している。即ち、ベルト部材３０は、操作ノブ２０の操作範囲外であって、操作ノブ２０の外周を囲むように、使用状態において操作ノブ２０よりも操作者側となる位置に配置されている。
【００４１】
また、ベルト部材３０は、使用状態において操作ノブ２０よりも操作者側（図５中前面側）となる位置において、箱部１１の前面側の側縁内側に全てが露出した状態で配置されている。
これにより、操作者は、ベルト部材３０の任意の位置で、ベルト部材３０をスライド操作することができる。
【００４２】
（第３実施形態）
図６は、本発明の第３実施形態に係る操作装置３００を示す概略斜視図である。
第３実施形態の操作装置３００は、第１実施形態の本体１０のベルト支持部１３の代わりに、本体１０Ｂの操作パネル１２Ｂがベルト支持部１２２を備える他は、第１実施形態の操作装置１００と同様である。よって、前述した第１実施形態と同様の機能を果たす部分には、同一の符号を付して、重複する説明を適宜省略する。
【００４３】
本体１０Ｂは、箱部１１と、操作パネル１２Ｂとを備えている。
操作パネル１２Ｂは、箱部１１の操作者に面する前面側（図６中前面側）に設けられ、操作ノブ２０が配置されている。
操作パネル１２Ｂには、操作ノブ２０の操作範囲外（例えば、操作ノブ２０が配置された部分の下方）において、その表面１２１より操作装置３００の内側方向（図６中背面側）にベルト支持部１２２が設けられている。
操作パネル１２Ｂには、操作ノブ２０の周囲や、ベルト支持部１２２の上方において、例えば、エアコンのオンオフ、送風の強さ、外気導入又は内気循環、車内温度等を示す情報が表示される。
【００４４】
図７は、図６に示す前記第３実施形態に係る操作装置３００のＣＣ’断面図である。
ベルト支持部１２２は、操作ノブ２０が配置された部分の下方において、操作パネル１２Ｂの表面１２１から操作装置３００の内側方向（図７中背面側）に立設し、筒形状に形成され、ベルト部材３０が巻き回されている。即ち、ベルト支持部１２２は、操作ノブ２０の操作範囲外に配置されている。
ベルト支持部１２２には、巻き回されたベルト部材３０の一部を、操作装置３００の外部に露出させるように、操作パネル１２の下側縁に沿って操作孔１２３が形成されている。
【００４５】
第３実施形態において、ベルト部材３０は、無端形状に構成されている。また、ベルト部材３０は、操作孔１２３に一部が露出した状態で、ベルト支持部１２２の周方向に回転駆動可能に巻き回されている。
上記のとおり、ベルト部材３０が巻き回されたベルト支持部１２２は、操作ノブ２０の操作範囲外に設けられている。即ち、ベルト部材３０は、操作ノブ２０の操作範囲外に配置されている。
【００４６】
以上説明したように、第１実施形態、第２実施形態及び第３実施形態によれば、ベルト部材３０は、操作ノブ２０の操作範囲外に配置され、駆動操作可能とした。そして、制御部６０は、ベルト部材３０の被検出部３１が検知部４０に検知されたことに応じて、被制御部としての空調機器を制御する。
これにより、操作者によるベルト部材３０の駆動操作により、被制御部材の操作を行うことができるので、回動するスペースが必要となる伝達機構を操作装置の内部に設ける必要がなくなる。よって、構造の簡素化及び省スペース化を図ることができる。
したがって、操作装置１００，２００，３００において、操作ノブ２０の操作範囲外のスペースが限られていても、操作ノブ２０とは別の操作系統としてベルト部材３０を増やすことができる。
【００４７】
また、第１実施形態、第２実施形態及び第３実施形態によれば、ベルト部材３０を無端形状に構成し回転駆動可能とすることで、操作者によるベルト部材３０の駆動操作をする範囲の制限が無くなり、例えば、駆動操作された距離に応じて、異なる機能を割り振ることもできる。よって、構造の簡素化及び省スペース化を図るともとに、操作性を向上することができる。
【００４８】
また、第１実施形態及び第２実施形態によれば、ベルト部材３０は、操作ノブ２０の外周を囲むように配置されている。これにより、無端形状のベルト部材３０の内側に、操作ノブ２０を配置できるので、操作装置１００，２００の内部のスペースを有効に活用できる。よって、構造の簡素化及び省スペース化を図ることができる。
【００４９】
また、第１実施形態及び第２実施形態によれば、ベルト部材３０は、使用状態において操作ノブ２０よりも操作者側となる位置に配置されている。これにより、操作ノブ２０よりも当該操作装置１００，２００の内側における部品数を減らすことができるので、操作装置１００，２００の内部のスペースを有効利用が可能となる。そして、この空いたスペースに照明装置５０を設けることで、夜間における操作装置１００，２００の操作性を向上できる。よって、構造の簡素化及び省スペース化を図ることができる。
【００５０】
また、第１実施形態、第２実施形態及び第３実施形態によれば、ベルト部材３０は、少なくとも一部が光透過性を有する部材により構成されている。これにより、操作装置１００，２００，３００の内部に配置した照明装置５０の光がベルト部材３０を透過し、夜間においてもベルト部材３０の位置を明確に示すことができる。よって、構造の簡素化及び省スペース化を図ることができるとともに、操作性を向上できる。
【００５１】
（変形形態）
（１）第１実施形態及び第３実施形態において、ベルト部材３０が巻き回されるベルト支持部１３，１２２は、操作孔１３１，１２３を除き全周に設けられているが、これに限らず、部分的に設けてもよい。この場合、ベルト支持部１３，１２２は、ベルト部材３０の移動方向を変える４隅に設ければよい。このように、ベルト支持部１３，１２２を部分的に切り欠くことで、ベルト部材３０の摺動抵抗を低減できる。
【００５２】
（２）第１実施形態、第２実施形態及び第３実施形態において、ベルト部材３０は、ゴム素材で形成したが、これに限らず、例えば、樹脂製のプレートを複数枚配列し、互いに隣接するプレートを連結してベルト形状に形成したものを用いてもよい。
【００５３】
（３）第１実施形態、第２実施形態及び第３実施形態において、制御部６０は、基板に接続された検知部４０からオンオフを示すオンオフ信号を受信し、受信したオンオフ信号に基づき被制御部を制御している例を挙げて説明した。これに限らず、制御部６０は、ベルト部材３０に固定された固定部と、固定部に固定され被制御部に接続された軸部を備え、操作者によるベルト部材３０の移動操作を軸部により被制御部に伝達することで、被制御部を制御してもよい。
【００５４】
（４）第１実施形態、第２実施形態及び第３実施形態において、ベルト部材３０を無端形状に構成し、回転駆動可能とした例を挙げて説明した。これに限らず、例えば、ベルト部材３０を、ベルト形状の板状体で形成し、往復駆動可能としてもよい。
また、２つのプーリーにベルト部材を移動分のみ余分に巻き回させておくようにして、有端形状とすることで、無端形状にすることないベルト部材としてもよい。
図８は、上述の変形形態の要部を示す斜視図である。
図８に示すように、ベルト部材３０は、有端形状に形成されており、２つのプーリー部材１３Ａに端部を余分に巻き回させている。
【００５５】
（５）第１実施形態、第２実施形態及び第３実施形態において、操作装置１００，２００，３００は、空調機器の操作を行うものである例を挙げて説明した。これに限らず、例えば、オーディオ機器やカーナビゲーション機器等、他の機器の操作に本発明の操作装置を適用してもよい。
【００５６】
なお、各実施形態及び変形形態は、適宜組み合わせて用いることもできるが、詳細な説明は省略する。また、本発明は以上説明した各実施形態によって限定されることはない。
【符号の説明】
【００５７】
１０    本体
１０Ａ，１０Ｂ  本体
１１    箱部
１２，１２Ｂ  操作パネル
１３，１２２  ベルト支持部
１３Ａ  プーリー部材
２０    操作ノブ
２１    ダイヤル
２２    伝達機構
３０    ベルト部材
３１    被検出部
３２    別部材
４０    検知部
５０    照明装置
６０    制御部
１００，２００，３００  操作装置
１１１  ローラ
１２１  操作パネルの表面
１２３，１３１  操作孔
【図１】
2015101167.tif 000003
【図２】
2015101167.tif 000004
【図３】
2015101167.tif 000005
【図４】
2015101167.tif 000006
【図５】
2015101167.tif 000007
【図６】
2015101167.tif 000008
【図７】
2015101167.tif 000009
【図８】
2015101167.tif 000010